(57)【要約】【課題】  入力信号毎に応じた最適な同期分離処理を実現する装置および方法を提供する。【解決手段】  入力信号に応じて設定された同期分離設定値を記憶部に格納して保持し、入力信号に対応する同期分離設定値を記憶部から取得して、取得値に基づく同期分離処理を実行する。また、記憶部に各地域のチャンネル毎の同期分離設定値を格納し、映像信号処理に際して、映像信号処理装置が設置された地域およびチャンネルに対応する同期分離設定値を選択し、その選択値に基づいた同期分離処理を実行する。本構成により、正確な同期分離処理に基づく映像信号生成が可能となる。【選択図】  図５
2005027234.tif 000002
【特許請求の範囲】
【請求項１】
入力映像信号に含まれる同期信号の分離処理を実行する映像信号処理装置であり、
入力信号に応じた複数の同期分離設定値を個別に格納した記憶部と、
入力信号を識別し、識別した入力信号に応じて、前記記憶部から識別入力信号に対応する同期分離設定値を取得し、該取得値を同期分離処理部に出力する制御部と、
前記制御部から入力する同期分離設定値に基づいて、入力映像信号に含まれる同期信号の分離処理を実行する同期分離処理部と、
を有することを特徴とする映像信号処理装置。
【請求項２】
前記記憶部は、少なくともチューナ受信の映像信号に対応する同期分離設定値と、ビデオ入力の映像信号に対応する同期分離設定値とを個別に格納した構成であり、前記制御部は、入力信号がチューナ受信信号かビデオ入力信号かを識別し、該識別情報に基づいて、前記記憶部から識別入力信号に対応する同期分離設定値を取得し、該取得値を同期分離処理部に出力する処理を実行する構成であることを特徴とする請求項１に記載の映像信号処理装置。
【請求項３】
前記記憶部は、チューナ受信信号についてのチャンネル毎の同期分離設定値を個別に格納した構成であり、前記制御部は、入力信号のチャンネルを識別し、該識別情報に基づいて、前記記憶部から識別チャンネルに対応する同期分離設定値を取得し、該取得値を同期分離処理部に出力する処理を実行する構成であることを特徴とする請求項１に記載の映像信号処理装置。
【請求項４】
前記映像信号処理装置は、さらに、
映像信号処理装置の置かれた地域データを格納する地域データ格納記憶部を有し、
前記記憶部は、地域および入力信号に応じた複数の同期分離設定値を個別に格納した構成であり、
前記制御部は、前記地域データ格納記憶部に格納された地域データ、および処理対象のチューナ受信チャンネル情報に基づいて、前記記憶部から地域およびチャンネルに対応する同期分離設定値を取得し、該取得値を同期分離処理部に出力する構成であることを特徴とする請求項１に記載の映像信号処理装置。
【請求項５】
前記映像信号処理装置は、さらに、
地域識別データを入力する入力部と、
前記地域識別データに基づく地域判定処理を実行し、判定された地域データを前記地域データ格納記憶部に格納するデータ処理部を有する構成であることを特徴とする請求項４に記載の映像信号処理装置。
【請求項６】
前記地域識別データは、郵便番号データまたは電話番号データのいずれかであり、前記データ処理部は、郵便番号データまたは電話番号データのいずれかに基づく地域判定処理を実行する構成であることを特徴とする請求項５に記載の映像信号処理装置。
【請求項７】
前記映像信号処理装置は、さらに、
自動チャンネル設定を実行する自動チャンネル設定部と、
前記自動チャンネル設定部におけるチャンネル設定データに基づく地域判定処理を実行し、判定された地域データを前記地域データ格納記憶部に格納するデータ処理部を有する構成であることを特徴とする請求項４に記載の映像信号処理装置。
【請求項８】
入力映像信号に含まれる同期信号の分離処理を実行する映像信号処理方法であり、
入力信号を識別する入力信号識別ステップと、
入力信号に応じた複数の同期分離設定値を個別に格納した記憶部から、識別入力信号に対応する同期分離設定値を取得する同期分離設定値取得ステップと、
取得した同期分離設定値を同期分離処理部に出力する同期分離設定値出力ステップと、
前記同期分離設定値に基づいて、入力映像信号に含まれる同期信号の分離処理を実行する同期分離処理ステップと、
を有することを特徴とする映像信号処理方法。
【請求項９】
前記記憶部は、少なくともチューナ受信の映像信号に対応する同期分離設定値と、ビデオ入力の映像信号に対応する同期分離設定値とを個別に格納した構成であり、
前記入力信号識別ステップは、
入力信号がチューナ受信信号かビデオ入力信号かを識別し、
前記同期分離設定値取得ステップは、
前記識別情報に基づいて、前記記憶部から識別入力信号に対応する同期分離設定値を取得し、
前記同期分離設定値出力ステップは、
該取得値を同期分離処理部に出力する処理を実行することを特徴とする請求項８に記載の映像信号処理方法。
【請求項１０】
前記記憶部は、チューナ受信信号についてのチャンネル毎の同期分離設定値を個別に格納した構成であり、
前記入力信号識別ステップは、
入力信号のチャンネルを識別し、
前記同期分離設定値取得ステップは、
前記識別情報に基づいて、前記記憶部から識別チャンネルに対応する同期分離設定値を取得し、
前記同期分離設定値出力ステップは、
該取得値を同期分離処理部に出力する処理を実行することを特徴とする請求項８に記載の映像信号処理方法。
【請求項１１】
前記映像信号処理方法は、さらに、
映像信号処理装置の置かれた地域データを記憶部から取得して、映像信号処理装置の置かれた地域を判定する地域判定ステップを有し、
前記同期分離設定値取得ステップは、
前記地域データおよび前記入力信号識別ステップにおいて識別した入力チャンネル情報に基づいて、記憶部から地域およびチャンネルに対応する同期分離設定値を取得する処理を実行することを特徴とする請求項８に記載の映像信号処理方法。
【請求項１２】
前記地域識別データは、郵便番号データまたは電話番号データのいずれかであり、
前記地域判定ステップは、郵便番号データまたは電話番号データのいずれかに基づく地域判定処理を実行することを特徴とする請求項１１に記載の映像信号処理方法。
【請求項１３】
前記映像信号処理方法は、さらに、
自動チャンネル設定を実行する自動チャンネル設定ステップと、
前記自動チャンネル設定ステップにおけるチャンネル設定データに基づく地域判定処理を実行し、判定された地域データを前記地域データ格納記憶部に格納するデータ処理ステップと、
を有することを特徴とする請求項１１に記載の映像信号処理方法。
【請求項１４】
入力映像信号に含まれる同期信号の分離処理を含む映像信号処理を実行するコンピュータ・プログラムであり、
入力信号を識別する入力信号識別ステップと、
入力信号に応じた複数の同期分離設定値を個別に格納した記憶部から、識別入力信号に対応する同期分離設定値を取得する同期分離設定値取得ステップと、
取得した同期分離設定値を同期分離処理部に出力する同期分離設定値出力ステップと、
前記同期分離設定値に基づいて、入力映像信号に含まれる同期信号の分離処理を実行する同期分離処理ステップと、
を有することを特徴とするコンピュータ・プログラム。
【発明の詳細な説明】
【技術分野】
【０００１】
本発明は、映像信号より同期信号を分離する映像信号処理装置、および映像信号処理方法、並びにコンピュータ・プログラムに関する。さらに詳細には、様々な入力信号に応じた同期分離レベルの設定を可能とすることにより、入力信号に対応した最適な同期分離処理を可能とした映像信号処理装置、および映像信号処理方法、並びにコンピュータ・プログラムに関する。
【背景技術】
【０００２】
近年のテレビジョン、ＶＴＲ等の映像機器における映像信号処理の多くにはデジタル信号処理が用いられ、小型化、ＩＣチップ化が進んでいる。アナログ地上波放送やビデオ入力などの信号は垂直同期信号（Ｖ．ＳＹＮＣ）と水平同期信号（Ｈ．ＳＹＮＣ）とが複合された信号を有し、これらの複合信号を垂直同期（Ｖ．ＳＹＮＣ）と水平同期（Ｈ．ＳＹＮＣ）信号とに分離する同期分離回路が必要となる。
【０００３】
同期分離回路は、所定の同期分離設定値（スライスレベル）値をコンパレータに出力し、コンパレータにおいて、デジタル化された映像信号とスライスレベル値との比較を実行し、比較結果に基づいて同期信号を得る構成である。
【０００４】
しかしながら、このような同期分離回路構成では、同期分離設定値（スライスレベル）が一定であるため、映像信号の同期信号のレベルが予定された範囲内にない場合には、同期信号の分離を正確に実行できないという欠点がある。
【０００５】
ビデオ信号における同期信号分離処理の概要について説明する。図１に示すように、ビデオ信号には映像信号と同期信号が混在しており、予め設定した同期分離設定値（スライスレベル）でビデオ信号の切り出しを行うことで同期信号の取り出しが可能な構成となっている。
【０００６】
従来の同期分離回路構成においては、同期分離設定値（スライスレベル）値を一定にしてあるため、映像信号の同期信号のレベルが予定された範囲内にない場合には、同期信号の分離を正確に実行できない。図２を参照して固定の同期分離設定値（スライスレベル）を用いた構成における問題点を説明する。
【０００７】
図２（ａ）は、予め設定されたスライスレベルを適用して正常な同期信号取得が実行される例であり、図２（ｂ）は、正常な同期信号の取得が実行されない例を示している。図２（ａ）の場合、ビデオ信号１０１に対して、固定されたスライスレベル１０２を適用して同期信号の取り出しを実行することで、水平同期信号部１０３の取得に成功している。
【０００８】
一方、図２（ｂ）は、ビデオ信号１１１が全体的にハイレベルにずれた信号となっており、固定されたスライスレベル１１２を適用すると、スライスレベルがビデオ信号の同期信号切り出しレベルに交差することなく、正確な同期信号の取り出しが実行できない。
【０００９】
さらに、図２（ｃ）は、ビデオ信号１２１が全体的にローレベルにずれた信号となっており、固定されたスライスレベル１２２を適用すると、スライスレベルがビデオ信号の同期信号切り出しレベルに交差することなく、正確な同期信号の取り出しが実行できない。
【００１０】
現在、世界各地で様々な放送が行われているが、地域によっては受信状態が悪い場合や、放送によっては同期信号部分が乱れた状態の信号が送られてくる場合などがある。また、放送局の送信信号レベルの設定が他の地域と異なる場合などがある。このような場合、従来型のスライスレベルを一定とした同期分離回路を適用すると、同期信号の分離を正確に実行できない場合がある。
【００１１】
このような同期分離における問題点を解決する構成として、例えば特許文献１に記載の構成がある。特許文献１には、ノイズ信号の混入に基づいて発生する同期分離レベルの性能低下を防止する構成が示され、同期信号以外の入力信号レベルを監視し、検出されたノイズ信号に応じて同期分離レベルを再設定する構成を開示している。
【００１２】
この構成によれば、ノイズ信号に基づいて発生する同期分離の性能低下は防止可能となるが、放送局、あるいはビデオ機器等から出力される信号自体にレベルのずれが存在する場合などには対応することができず、正確な同期分離が実現されない。
【特許文献１】特開平９−１３５３６８号公報
【発明の開示】
【発明が解決しようとする課題】
【００１３】
本発明は、上述の問題点に鑑みてなされたものであり、入力信号に応じた同期分離レベル設定を可能とすることで、入力信号が様々なレベル設定がなされた信号の場合においても正確な同期分離を可能とし、正確な映像信号出力を可能とした映像信号処理装置、および映像信号処理方法、並びにコンピュータ・プログラムを提供することを目的とする。
【課題を解決するための手段】
【００１４】
本発明の第１の側面は、
入力映像信号に含まれる同期信号の分離処理を実行する映像信号処理装置であり、
入力信号に応じた複数の同期分離設定値を個別に格納した記憶部と、
入力信号を識別し、識別した入力信号に応じて、前記記憶部から識別入力信号に対応する同期分離設定値を取得し、該取得値を同期分離処理部に出力する制御部と、
前記制御部から入力する同期分離設定値に基づいて、入力映像信号に含まれる同期信号の分離処理を実行する同期分離処理部と、
を有することを特徴とする映像信号処理装置にある。
【００１５】
さらに、本発明の映像信号処理装置の一実施態様において、前記記憶部は、少なくともチューナ受信の映像信号に対応する同期分離設定値と、ビデオ入力の映像信号に対応する同期分離設定値とを個別に格納した構成であり、前記制御部は、入力信号がチューナ受信信号かビデオ入力信号かを識別し、該識別情報に基づいて、前記記憶部から識別入力信号に対応する同期分離設定値を取得し、該取得値を同期分離処理部に出力する処理を実行する構成であることを特徴とする。
【００１６】
さらに、本発明の映像信号処理装置の一実施態様において、前記記憶部は、チューナ受信信号についてのチャンネル毎の同期分離設定値を個別に格納した構成であり、前記制御部は、入力信号のチャンネルを識別し、該識別情報に基づいて、前記記憶部から識別チャンネルに対応する同期分離設定値を取得し、該取得値を同期分離処理部に出力する処理を実行する構成であることを特徴とする。
【００１７】
さらに、本発明の映像信号処理装置の一実施態様において、前記映像信号処理装置は、さらに、映像信号処理装置の置かれた地域データを格納する地域データ格納記憶部を有し、前記記憶部は、地域および入力信号に応じた複数の同期分離設定値を個別に格納した構成であり、前記制御部は、前記地域データ格納記憶部に格納された地域データ、および処理対象のチューナ受信チャンネル情報に基づいて、前記記憶部から地域およびチャンネルに対応する同期分離設定値を取得し、該取得値を同期分離処理部に出力する構成であることを特徴とする。
【００１８】
さらに、本発明の映像信号処理装置の一実施態様において、前記映像信号処理装置は、さらに、地域識別データを入力する入力部と、前記地域識別データに基づく地域判定処理を実行し、判定された地域データを前記地域データ格納記憶部に格納するデータ処理部を有する構成であることを特徴とする。
【００１９】
さらに、本発明の映像信号処理装置の一実施態様において、前記地域識別データは、郵便番号データまたは電話番号データのいずれかであり、前記データ処理部は、郵便番号データまたは電話番号データのいずれかに基づく地域判定処理を実行する構成であることを特徴とする。
【００２０】
さらに、本発明の映像信号処理装置の一実施態様において、前記映像信号処理装置は、さらに、自動チャンネル設定を実行する自動チャンネル設定部と、前記自動チャンネル設定部におけるチャンネル設定データに基づく地域判定処理を実行し、判定された地域データを前記地域データ格納記憶部に格納するデータ処理部を有する構成であることを特徴とする。
【００２１】
さらに、本発明の第２の側面は、
入力映像信号に含まれる同期信号の分離処理を実行する映像信号処理方法であり、
入力信号を識別する入力信号識別ステップと、
入力信号に応じた複数の同期分離設定値を個別に格納した記憶部から、識別入力信号に対応する同期分離設定値を取得する同期分離設定値取得ステップと、
取得した同期分離設定値を同期分離処理部に出力する同期分離設定値出力ステップと、
前記同期分離設定値に基づいて、入力映像信号に含まれる同期信号の分離処理を実行する同期分離処理ステップと、
を有することを特徴とする映像信号処理方法にある。
【００２２】
さらに、本発明の映像信号処理方法の一実施態様において、前記記憶部は、少なくともチューナ受信の映像信号に対応する同期分離設定値と、ビデオ入力の映像信号に対応する同期分離設定値とを個別に格納した構成であり、前記入力信号識別ステップは、入力信号がチューナ受信信号かビデオ入力信号かを識別し、前記同期分離設定値取得ステップは、前記識別情報に基づいて、前記記憶部から識別入力信号に対応する同期分離設定値を取得し、前記同期分離設定値出力ステップは、該取得値を同期分離処理部に出力する処理を実行することを特徴とする。
【００２３】
さらに、本発明の映像信号処理方法の一実施態様において、前記記憶部は、チューナ受信信号についてのチャンネル毎の同期分離設定値を個別に格納した構成であり、前記入力信号識別ステップは、入力信号のチャンネルを識別し、前記同期分離設定値取得ステップは、前記識別情報に基づいて、前記記憶部から識別チャンネルに対応する同期分離設定値を取得し、前記同期分離設定値出力ステップは、該取得値を同期分離処理部に出力する処理を実行することを特徴とする。
【００２４】
さらに、本発明の映像信号処理方法の一実施態様において、前記映像信号処理方法は、さらに、映像信号処理装置の置かれた地域データを記憶部から取得して、映像信号処理装置の置かれた地域を判定する地域判定ステップを有し、前記同期分離設定値取得ステップは、前記地域データおよび前記入力信号識別ステップにおいて識別した入力チャンネル情報に基づいて、記憶部から地域およびチャンネルに対応する同期分離設定値を取得する処理を実行することを特徴とする。
【００２５】
さらに、本発明の映像信号処理方法の一実施態様において、前記地域識別データは、郵便番号データまたは電話番号データのいずれかであり、前記地域判定ステップは、郵便番号データまたは電話番号データのいずれかに基づく地域判定処理を実行することを特徴とする。
【００２６】
さらに、本発明の映像信号処理方法の一実施態様において、前記映像信号処理方法は、さらに、自動チャンネル設定を実行する自動チャンネル設定ステップと、前記自動チャンネル設定ステップにおけるチャンネル設定データに基づく地域判定処理を実行し、判定された地域データを前記地域データ格納記憶部に格納するデータ処理ステップと、を有することを特徴とする。
【００２７】
さらに、本発明の第３の側面は、
入力映像信号に含まれる同期信号の分離処理を含む映像信号処理を実行するコンピュータ・プログラムであり、
入力信号を識別する入力信号識別ステップと、
入力信号に応じた複数の同期分離設定値を個別に格納した記憶部から、識別入力信号に対応する同期分離設定値を取得する同期分離設定値取得ステップと、
取得した同期分離設定値を同期分離処理部に出力する同期分離設定値出力ステップと、
前記同期分離設定値に基づいて、入力映像信号に含まれる同期信号の分離処理を実行する同期分離処理ステップと、
を有することを特徴とするコンピュータ・プログラムにある。
【００２８】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２９】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００３０】
本発明の構成によれば、入力信号に応じて設定された同期分離設定値を記憶部に格納して保持し、入力信号に対応する同期分離設定値を記憶部から取得して、取得値に基づいて同期分離処理を実行する構成としたので、入力信号毎に応じた最適な同期分離処理が実行されることになり、出力する映像信号をよりクリアな映像データとすることが可能となる。
【００３１】
さらに、本発明の構成によれば、記憶部に各地域のチャンネル毎の同期分離設定値を格納し、映像信号処理に際して、映像信号処理装置が設置された地域およびチャンネルに対応する同期分離設定値を選択し、その選択値に基づいた同期分離処理を実行する構成としたので、正確な同期分離処理に基づく映像信号生成が可能となる。また、本発明の一実施例によれば、チャンネル設定時に取得される情報に基づいて、地域を判定し、判定データに基づく地域データを格納して利用する構成としたので、ユーザによる地域識別データの入力処理の負担を伴うことなく、地域およびチャンネルに対応した最適な同期分離処理が可能となる。
【発明を実施するための最良の形態】
【００３２】
以下、図面を参照しながら、本発明の映像信号処理装置、および映像信号処理方法、並びにコンピュータ・プログラムの詳細について説明する。
【００３３】
まず、図３を参照して本発明の映像信号処理構成の概要について説明する。図３は、本発明の映像信号処理装置の主要構成部を示す図である。本発明の映像信号処理装置には、アナログ地上波放送入力やビデオ１入力、ビデオ２入力、コンポーネント入力、ＡＶマルチ入力、ＢＳ／ＣＳデジタル放送入力などのようにそれぞれの入力信号毎の最適な同期分離設定値（スライスレベル）を格納した記憶部２００を有する。
【００３４】
記憶部２００は不揮発性メモリ（ＮＶＭ：Non-Volatile Memory）であり、装置の電源がオフの場合でも記憶データは消失しない。このように、不揮発性メモリに、入力信号毎の同期分離設定値（スライスレベル）を格納する。
【００３５】
システムマイコン２１０は、映像信号処理装置全体の制御を実行するマイコンであり、制御部としてのＣＰＵ、ＲＡＭ２１１等のメモリ領域を備え、記憶部２００からのデータ取得、同期分離回路内蔵デバイス２２０へのデータ入力、制御などを実行する。
【００３６】
システムマイコン２１０は、映像信号処理装置に入力される信号を識別し、入力信号に対応する同期分離設定値を記憶部２００から取得して、システムマイコン２１０内のＲＡＭ２１１に格納し、同期分離回路内蔵デバイス２２０内に設定されたレジスタ２２１に同期分離処理時に適用する同期分離設定値としてＲＡＭ格納データを出力する。
【００３７】
同期分離回路内蔵デバイス２２０の同期分離処理部２２２は、レジスタ２２１に格納された同期分離設定値を適用して同期分離処理部２２２に入力する映像信号の同期分離処理を実行する。
【００３８】
不揮発性メモリによって構成される記憶部２１０には、アナログ地上波放送、ビデオ１入力、ビデオ２入力、コンポーネント入力、ＡＶマルチ入力、ＢＳ／ＣＳデジタル放送入力など、その映像信号処理装置が入力する信号に応じて、最適な同期分離設定値が格納される。
【００３９】
記憶部２１０に格納される同期分離設定値の具体例について、図４を参照して説明する。図４には３種類の同期分離設定値の例を示している。（ａ）は、地上波信号に対応する最適同期分離設定値（Ｌ１）、（ｂ）は、ビデオ１入力信号に対応する最適同期分離設定値（Ｌ２）、（ｃ）は、ＢＳ／ＣＳ信号に対応する最同期分離設定値（Ｌ３）である。
【００４０】
（ｂ）に示すビデオ１入力信号は、（ａ）に示す地上波信号に比較すると、全体的にハイレベルな信号となっており、このハイレベルな信号に適応させるため、同期分離設定値（Ｌ２）を（ａ）の地上波に対する同期分離設定値（Ｌ１）より高めのレベル値として設定し、この値をビデオ１入力信号用同期分離設定値として記憶部２００に格納する。
【００４１】
また、（ｃ）に示すＢＳ／ＣＳ信号は、（ａ）に示す地上波信号に比較すると、全体的にローレベルな信号となっており、このローレベルな信号に適応させるため、同期分離設定値（Ｌ３）を（ａ）の地上波に対する同期分離設定値（Ｌ１）より低めのレベル値として設定し、この値をＢＳ／ＣＳ信号用同期分離設定値として記憶部２００に格納する。
【００４２】
なお、本実施例においては、記憶部に格納する同期分離設定値を地上波、ＢＳ／ＣＳ信号、ビデオ入力等の分類とする例を示しているが、さらに、地上波の各チャンネル毎、ＢＳ／ＣＳの各チャンネル毎に最適な同期分離設定値を個別に格納する構成としてもよい。
【００４３】
次に、図５を参照して、本発明の映像信号処理装置の全体構成および処理について説明する。
【００４４】
図５に示すように、本発明の映像信号処理装置は、様々な信号入力部、すなわち、地上波チューナ３０１、ＢＳ／ＣＳチューナ３０２、ビデオ信号入力部３０３、外部機器信号入力部３０４を備え、入力切り替え部３０５を介して、いずれかの選択された信号が同期分離回路内蔵デバイス３１０に入力され、同期分離処理がなされた後、ディスプレイ３２０に出力される。
【００４５】
システムマイコン３０６は、入力切り替え部３０５において選択された入力信号情報を入力し、入力信号情報に従って、入力信号に対応する同期分離設定値を記憶部３０８から取得し、ＲＡＭ３０７に格納した後、同期分離回路内蔵デバイス３１０内の同期分離レベル設定レジスタ３１１に格納する。
【００４６】
同期分離回路内蔵デバイス３１０内の同期分離処理部３１２は、同期分離レベル設定レジスタ３１１に格納された値を用いて、入力切替部３０５を介して入力される映像信号の同期分離処理を実行し、垂直同期信号（Ｖ．ＳＹＮＣ）と水平同期信号（Ｈ．ＳＹＮＣ）とを取り出し、映像信号処理部３１３に出力する。映像信号処理部３１３では、同期分離処理部３１２から入力する垂直同期信号（Ｖ．ＳＹＮＣ）と水平同期信号（Ｈ．ＳＹＮＣ）を適用して、入力切替部３０５を介して入力される映像信号の処理を実行し、ディスプレイ３２０に処理後の信号を出力し、映像を表示する。
【００４７】
同期分離処理部３１２は、入力信号に応じて記憶部３０８に格納された最適な同期分離設定値を適用した同期分離処理を実行することになり、確実な同期分離処理を実行することが可能となる。
【００４８】
図６を参照して、入力信号がビデオ１の入力信号である場合の処理例について説明する。図６において、参照符号は図５と同一の処理部については同一の参照符号を示している。
【００４９】
図６に示す入力切替部３０５がビデオ１入力信号を、例えばユーザ指定により出力信号として選択し、同期分離回路内蔵デバイス３１０に出力する。システムマイコン３０６は、入力切替部３０５から、選択信号がビデオ１信号であることを示す入力信号情報を受信する。
【００５０】
システムマイコン３０６は、入力信号がビデオ１信号であると判断し、記憶部３０８から、ビデオ１入力信号用同期分離設定値を読み出して自己のＲＡＭ３０７に格納し、さらに、ＲＡＭ格納データとして格納したビデオ１入力信号用同期分離設定値を同期分離回路内蔵デバイス３１０内の同期分離レベル設定レジスタ３１１に格納する。
【００５１】
同期分離回路内蔵デバイス３１０内の同期分離処理部３１２は、同期分離レベル設定レジスタ３１１に格納されたビデオ１入力信号用同期分離設定値を適用して同期分離処理を実行し、垂直同期信号（Ｖ．ＳＹＮＣ）と水平同期信号（Ｈ．ＳＹＮＣ）とを取得する。
【００５２】
このように、本発明の映像信号処理装置においては、入力信号に応じて設定される同期分離設定値を記憶部に格納して保持する構成とし、入力信号を識別し、入力信号に応じた同期分離設定値を記憶部から取得して同期分離処理を実行する構成としたので、入力信号が切り替わるなどして、異なるレベル設定のされた信号が入力される場合でも、最適な同期分離レベルに基づく処理が実行されることになり、出力する映像信号をクリアな映像データとすることが可能となる。
【００５３】
図７を参照して、本発明の映像信号処理のシーケンスについて説明する。まず、ステップＳ１０１において、入力信号を識別する。これはシステムマイコンが例えば入力切替部からの情報に基づいて判定する。
【００５４】
ステップＳ１０２において、識別された入力信号に基づいて、同期分離処理において適用する同期分離設定値を選択し、システムマイコンのＲＡＭに格納する。
【００５５】
ステップＳ１０３において、システムマイコンのＲＡＭに格納した同期分離設定値を同期分離回路内蔵デバイスのレジスタに格納する。
【００５６】
ステップＳ１０４において、同期分離回路内蔵デバイスの同期分離処理部おいて、レジスタ格納値を適用した処理を実行して垂直同期信号（Ｖ．ＳＹＮＣ）と水平同期信号（Ｈ．ＳＹＮＣ）とを取得する。
【００５７】
次に、複数の地域に対応したチャンネル毎の同期分離設定値を記憶部に格納するとともに、地域データに基づいて選択される地域対応チャンネルの同期分離設定値を記憶部から取得して同期分離処理に適用する構成とした実施例について説明する。
【００５８】
図８を参照して、本実施例の処理構成について説明する。本実施例の映像信号処理装置には、アナログ地上波放送入力やビデオ１入力、ビデオ２入力、コンポーネント入力、ＡＶマルチ入力、ＢＳ／ＣＳデジタル放送入力などのようにそれぞれの入力信号毎の最適な同期分離設定値を格納した記憶部４００を有する。
【００５９】
本実施例においては、さらに、地域毎のチャンネルに応じた同期分離設定値を記憶部に格納している。すなわちチューナを介して受信する地上波あるいは衛生放送としてのＢＳ／ＣＳ放送チャンネルは受信可能なチャンネルが国あるいは地方によって異なる。
【００６０】
本実施例の映像信号処理装置は、これらの各国、地方のチャンネルに対応した同期分離設定値をそれぞれアナログ地上波入力信号用同期分離設定値データ格納部４０１と、ＢＳ／ＣＳデジタル入力信号用同期分離設定値データ格納部４０２に格納している。
【００６１】
さらに記憶部４００には、地域情報データ格納部４０３を有し、ここに映像信号処理装置が設置されている地域情報を格納する。地域情報は、例えば郵便番号、電話番号等の地域識別可能なデータを入力部４０５から入力し、入力情報に基づいて、システムマイコンが地域を決定し、決定情報を地域情報データ格納部４０３に格納する方法が採用できる。なお、郵便番号、電話番号等の地域識別情報と地域データとの対応データを予め記憶部４００に格納し、システムマイコン４１０はこの対応データに基づいて、入力情報から地域を決定する。
【００６２】
チューナ受信信号の処理を実行する場合には、システムマイコン４１０は、入力切り替え部４１２からチャンネル情報を入力し、さらに、地域情報データ格納部４０３から、映像信号処理装置の置かれた地域データを取得し、その地域の入力チャンネルに対応する同期分離設定値データをアナログ地上波入力信号用同期分離設定値データ格納部４０１から取得し、ＲＡＭ４１１に格納し、同期分離回路内蔵デバイス４２０のレジスタ４２１に出力する。同期分離回路内蔵デバイス４２０の同期分離処理部４２２は、レジスタ設定値、すなわちその地域の入力チャンネルに対応する同期分離設定値を用いた同期分離処理を実行する。
【００６３】
記憶部４００には、例えば図９に示す構成のデータが格納される。これは映像信号処理装置が東京に置かれている場合の例を示している。地域情報データ格納部には、映像信号処理装置が置かれている情報として東京（東京を示すコード情報）が設定される。これは、例えば東京の郵便番号１００−ｘｘｘｘ、あるいは自宅の電話番号の市外局番（０３）などをユーザが入力し、これらの地域識別情報と地域情報とを対応付けたテーブルデータなどに基づいて制御部（システムマイコン）が地域を決定し、この決定情報が地域情報データ格納部に格納されるものである。
【００６４】
さらに、図９には、記憶部の同期分離設定値格納部の地上波対応データの構成を示してある。図に示すように、地域としての国、地方毎にチャンネル対応の同期分離設定値が格納される。
【００６５】
東京の地上波のチャンネル１には、同期分離設定値［Ｌ１］が設定され、チャンネル３には、同期分離設定値［Ｌ２］が設定されている。これらのチャンネル毎の同期分離設定値が地域としての国、地方毎に設定され、格納される。
【００６６】
システムマイコンは、地域情報データ格納部に格納された地域データに基づいて、いずれかの地域対応のチャンネル毎に設定された同期分離設定値を選択、取得する。
【００６７】
例えば、図に示すように地域が東京である場合、入力チャンネルが１チャンネルである場合には、入力映像信号の同期分離処理に適用する同期分離設定値は［Ｌ１］となり、この値［Ｌ１］がシステムマイコンのＲＡＭに格納され、その後、同期分離回路内蔵デバイス４２０のレジスタ４２１に入力されて同期分離処理に適用されることになる。
【００６８】
地域情報の入力および地域データの格納処理について、図１０を参照して説明する。入力部４０５は、キーボード等のユーザ入力部を備え、ユーザは入力部を介して郵便番号、電話番号等の地域識別データを入力する。
【００６９】
地域判定処理を実行するデータ処理部としての制御部４１０は、入力情報に基づいて、記憶部４５１に格納された識別情報／地域情報対応データを参照して地域を決定し、決定情報を記憶部の地域情報データ格納部４０３に格納する。
【００７０】
なお、図には、識別情報／地域情報対応データを格納した記憶部４５１と、地域情報データ格納部４０３を持つ記憶部４００を別構成として示してあるが、これらは同一の記憶部の異なるメモリ領域を利用する構成としてもよい。また、制御部４１０は、前述したシステムマイコンを利用する構成としても、あるいは他のＣＰＵを持つ異なる制御部として構成してもよい。
【００７１】
図１１に、地域情報の設定、および地域情報に基づく同期分離値の選択処理シーケンスを説明するフローチャートを示す。フローの各ステップの処理について説明する。
【００７２】
ステップＳ２０１において、ユーザが郵便番号情報などの地域識別情報を入力部を介して入力すると、ステップＳ２０２において、システムマイコン等の制御部が、識別情報／地域情報対応データに基づいて、入力情報に対応する地域データ（例えば東京）を取得して、記憶部の地域情報データ格納部に格納する。
【００７３】
ステップＳ２０３は、チューナ受信信号の信号処理を実行する際の処理であり、システムマイコンは、入力信号がチューナ受信信号である場合、その入力チャンネル情報と記憶部の地域情報データ格納部に格納された地域データとに基づいて、同期分離処理に適用する同期分離設定値を記憶部から取得して、同期分離回路内蔵デバイスに出力する。
【００７４】
このように、本実施例の構成によれば、記憶部に複数の地域に対応し、かつチャンネル毎の最適な同期分離設定値を格納する構成とし、映像信号処理に際しては、映像信号処理装置が設置された地域の受信チャンネル毎に設定された最適な同期分離設定値を選択し、その選択値に基づいた同期分離処理を行うことが可能となるので、より正確な映像信号生成が実現される。
【００７５】
上述した実施例は、ユーザによって地域識別データとしての郵便番号や電話番号を入力し、これらの入力情報に基づいて地域を決定する処理例であったが、次に、自動チャンネル設定処理に基づいて、地域情報を取得して取得した地域情報を記憶部に格納し、これを利用する構成例について説明する。
【００７６】
昨今のテレビ受像機等、チューナ受信処理の実行システムにおいては、チューナの受信チャンネル設定を自動で実行する構成を持つものが多い。これは、例えば地上波であればチャンネル１から自動的にシークし、受信される信号を検出し、信号強度が十分なチャンネルを受信チャンネルとして設定するものである。
【００７７】
この自動チャンネル設定に基づいて地域情報を設定することが可能である。例えば１，３，４，６，８，１０，１２チャンネルがチャンネル設定された場合には、東京を中心とする関東ゾーンに属することが識別される。この自動チャンネル設定に基づく識別情報によって取得される地域データを記憶部に格納する。
【００７８】
図１２を参照して、自動チャンネル設定に基づいて地域情報を設定する構成例を説明する。自動チャンネル設定部４７２は、チューナ４７１の受信する信号に基づいてチャンネル設定を実行する。設定情報は、制御部４１０に入力される。
【００７９】
制御部４１０は、入力情報に基づいて、記憶部４７３に格納されたチャンネル／地域情報対応データに基づいて地域を決定し、これを記憶部４００の地域情報データ格納部４０３に格納する。
【００８０】
なお、チャンネル／地域情報対応データを格納した記憶部４７３と、地域情報データ格納部４０３を持つ記憶部４００を別構成として示してあるが、これらは同一の記憶部の異なるメモリ領域を利用する構成としてもよい。また、制御部４１０は、前述したシステムマイコンを利用する構成としても、あるいは他のＣＰＵを持つ異なる制御部として構成してもよい。
【００８１】
図１３に、チャンネル設定、およびチャンネル設定に基づく地域データの格納、地域データに基づく同期分離値の選択処理シーケンスを説明するフローチャートを示す。フローの各ステップの処理について説明する。
【００８２】
ステップＳ３０１において、自動チャンネル設定部においてチャンネル設定処理が行われると、ステップＳ３０２において、システムマイコン等の制御部が、チャンネル／地域情報対応データに基づいて、設定チャンネル情報に対応する地域データ（例えば東京）を取得して、記憶部の地域情報データ格納部に格納する。
【００８３】
ステップＳ３０３は、チューナ受信信号の信号処理を実行する際の処理であり、システムマイコンは、入力信号がチューナ受信信号である場合、その入力チャンネル情報と記憶部の地域情報データ格納部に格納された地域データとに基づいて、同期分離処理に適用する同期分離設定値を記憶部から取得して、同期分離回路内蔵デバイスに出力する。
【００８４】
このように、本実施例の構成によれば、チャンネル設定時に取得される情報に基づいて、地域を判定し、判定データに基づく地域データを格納して利用する構成としたので、ユーザによる地域識別データの入力処理の負担を伴うことなく、地域およびチャンネルに対応した最適な同期分離処理が可能となる。
【００８５】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００８６】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８７】
例えば、プログラムは記録媒体としてのハードディスクやＲＯＭ（Read OnlyMemory)に予め記録しておくことができる。あるいは、プログラムはフレキシブルディスク、ＣＤ−ＲＯＭ(Compact Disc Read OnlyMemory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８８】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８９】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９０】
以上、説明したように、本発明の構成によれば、入力信号に応じて設定された同期分離設定値を記憶部に格納して保持し、入力信号に対応する同期分離設定値を記憶部から取得して、取得値に基づいて同期分離処理部において同期分離処理を実行する構成としたので、入力信号毎に応じた最適な同期分離処理が実行されることになり、出力する映像信号をよりクリアな映像データとすることが可能となり、受信映像信号の処理を実行する装置、あるいは映像信号処理を実行するディスプレイ等において適用できる。
【００９１】
さらに、本発明の構成によれば、記憶部に各地域のチャンネル毎の同期分離設定値を格納し、映像信号処理に際して、映像信号処理装置が設置された地域およびチャンネルに対応する同期分離設定値を選択し、その選択値に基づいた同期分離処理を実行する構成としたので、正確な同期分離処理に基づく映像信号生成が可能となる。また、本発明の一実施例によれば、チャンネル設定時に取得される情報に基づいて、地域を判定し、判定データに基づく地域データを格納して利用する構成としたので、ユーザによる地域識別データの入力処理の負担を伴うことなく、地域およびチャンネルに対応した最適な同期分離処理が可能となり、受信映像信号の処理を実行する装置、あるいは映像信号処理を実行するディスプレイ等において適用できる。
【図面の簡単な説明】
【００９２】
【図１】ビデオ信号における同期信号の複合構成について説明する図である。
【図２】固定のスライスレベルを用いた構成における問題点を説明する図である。
【図３】本発明の映像信号処理構成の概要について説明する図である。
【図４】本発明の映像信号処理装置における同期分離レベルの設定、格納値例を示す図である。
【図５】本発明の映像信号処理装置の全体構成および処理について説明する図である。
【図６】入力信号がビデオ１の入力信号である場合の処理例について説明する図である。
【図７】本発明の映像信号処理のシーケンスについて説明するフローチャートである。
【図８】複数の地域に対応したチャンネル毎の同期分離設定値を適用した処理を実行する構成例について説明する図である。
【図９】複数の地域に対応したチャンネル毎の同期分離設定値を適用した処理を実行する構成において、記憶部に格納するデータについて説明する図である。
【図１０】地域情報の入力および地域データの格納処理を実行する装置構成例について説明する図である。
【図１１】地域情報の入力および地域データの格納処理のシーケンスについて説明するフロー図である。
【図１２】自動チャンネル設定に基づいて地域情報を設定する構成例を説明する図である。
【図１３】自動チャンネル設定に基づいて地域情報を設定する処理のシーケンスについて説明するフロー図である。
【符号の説明】
【００９３】
１０１  映像信号
１０２  スライスレベル
１０３  水平同期信号部
１１１  映像信号
１１２  スライスレベル
１２１  映像信号
１２２  スライスレベル
２００  記憶部
２１０  システムマイコン
２２０  同期分離回路内蔵デバイス
２２１  レジスタ
２２２  同期分離処理部
３０１  地上波チューナ
３０２  ＢＳ／ＣＳチューナ
３０３  ビデオ信号入力部
３０４  外部機器信号入力部
３０５  入力切替部
３０６  システムマイコン
３０７  ＲＡＭ
３０８  記憶部
３１０  同期分離回路内蔵デバイス
３１１  同期分離レベル設定レジスタ
３１２  同期分離処理部
３１３  映像信号処理部
３２０  ディスプレイ
４００  記憶部
４０１  アナログ地上波入力信号用同期分離設定値
４０２  ＢＳ／ＣＳ入力信号用同期分離設定値
４０３  地域情報データ格納部
４０５  地域情報入力部
４１０  システムマイコン
４１１  ＲＡＭ
４１２  入力切替部
４２０  同期分離回路内蔵デバイス
４２１  レジスタ
４２２  同期分離処理部
４５１  記憶部
４７１  チューナ
４７２  自動チャンネル設定部
４７３  記憶部
【図１】
2005027234.tif 000003
【図２】
2005027234.tif 000004
【図３】
2005027234.tif 000005
【図４】
2005027234.tif 000006
【図５】
2005027234.tif 000007
【図６】
2005027234.tif 000008
【図７】
2005027234.tif 000009
【図８】
2005027234.tif 000010
【図９】
2005027234.tif 000011
【図１０】
2005027234.tif 000012
【図１１】
2005027234.tif 000013
【図１２】
2005027234.tif 000014
【図１３】
2005027234.tif 000015